(57)【特許請求の範囲】
【請求項１】
左右に立設された複数の支柱間に複数の横連結杆を架設して複数形成された矩形枠の少なくとも前面または後面にパネル材を取り付けて成る間仕切パネル装置であって、
前記パネル材は、少なくとも透光性パネルと該透光性パネルを保持するパネル枠体を含み、
前記横連結杆は、少なくとも前後一方に突出し前記横連結杆の長手方向に亘って延びる平板状の突出部と、当該突出部よりも後方の位置に上方に延出する第１板部と、該第１板部よりさらに後方の位置に上方に延出する第２板部と、を備え、
前記パネル枠体の前方側下方が、前記突出部および前記第１板部により形成される角部に位置決めされ、
前記パネル枠体の後方側が、前記第２板部の上部に載置されるように係止されていることを特徴とする間仕切パネル装置。
【請求項２】
前記突出部は、前記横連結杆の上下方向の中央に形成されることを特徴とする請求項１に記載の間仕切パネル装置。
【請求項３】
前記突出部は、一部が前記支柱の前方に位置するように左右方向に延出部が形成されていることを特徴とする請求項１または２に記載の間仕切パネル装置。
【請求項４】
前記パネル材の前後方向の厚さよりも前記突出部の前後方向の突出量が小さいことを特徴とする請求項１ないし３のいずれかに記載の間仕切パネル装置。
【請求項５】
前記突出部の突出端面の明度は、前記パネル材の表面の明度よりも低いことを特徴とする請求項１ないし４のいずれかに記載の間仕切パネル装置。
【発明の詳細な説明】
【技術分野】
【０００１】
本発明は、オフィス等の空間を任意の領域に仕切る間仕切りパネル装置に関する。
【背景技術】
【０００２】
オフィスやショールーム等の室内空間を利用目的に合わせて所望の広さに仕切るため、各種の間仕切パネル装置が用いられている。これらの間仕切パネル装置は、立設されたフレームに複数のパネルを取り付けることによりパネル壁面を形成することが一般的である。このとき、各パネル間に目地を形成し、パネルの移動や収縮／膨張等の動きを目地に吸収させることによりパネルに対する負荷を軽減し、パネルの損傷を防いでいる。
【０００３】
このような間仕切パネル装置には、例えば、特許文献１に開示されているような技術が採用されている。特許文献１によれば、間仕切り装置（間仕切パネル装置）は、天井レール及び床レールと、左右に立設する支柱と、からフレームが構成され、支柱間に架設される複数の横桟により上下方向に複数の矩形枠が形成されており、これら矩形枠に複数のパネル及びガラスパネルが取り付けられてパネル壁面が形成されている。
【０００４】
また、左右に隣接するパネル間の縦目地は極力小さくしながら、上下に隣接するパネル間の横目地を敢えて大きくすることで、横目地を際立たせて縦目地を目立たなくすることができる。これによれば、左右方向の連続性をパネル壁面に与えて広がりのある空間を演出し、パネル壁面に高級感を出すことができる。
【先行技術文献】
【特許文献】
【０００５】
【特許文献１】特開２００３−１０５９０８号公報（第２頁、第３図）
【発明の概要】
【発明が解決しようとする課題】
【０００６】
しかしながら、特許文献１にあるような間仕切り装置では、パネルの上カギ及び下カギを横桟に取り付けられた支持片にそれぞれ係止してパネルを矩形枠に取り付けているため、パネルの左右で係止位置がずれる虞があり、横目地の上下間隔が左右方向に亘って略均一に揃えられず、パネル壁面の美観が損なわれるという問題があった。
【０００７】
本発明は、このような問題点に着目してなされたもので、横目地の上下間隔を左右方向に亘って略均一に揃えることができる間仕切パネル装置を提供することを目的とする。
【課題を解決するための手段】
【０００８】
前記課題を解決するために、本発明の間仕切パネル装置は、
左右に立設された複数の支柱間に複数の横連結杆を架設して複数形成された矩形枠の少なくとも前面または後面にパネル材を取り付けて成る間仕切パネル装置であって、
前記パネル材は、少なくとも透光性パネルと該透光性パネルを保持するパネル枠体を含み、
前記横連結杆は、少なくとも前後一方に突出し前記横連結杆の長手方向に亘って延びる平板状の突出部と、当該突出部よりも後方の位置に上方に延出する第１板部と、該第１板部よりさらに後方の位置に上方に延出する第２板部と、を備え、
前記パネル枠体の前方側下方が、前記突出部および前記第１板部により形成される角部に位置決めされ、
前記パネル枠体の後方側が、前記第２板部の上部に載置されるように係止されていることを特徴としている。
この特徴によれば、上下に隣接するパネル材は、突出部の上下端部に当接して、対向する上下端部同士が略平行となるように横目地が形成されるため、横目地の上下間隔を左右方向に亘って略均一に揃えることができ、美観に優れる。
【０００９】
前記突出部は、前記横連結杆の上下方向の中央に形成されることを特徴としている。
この特徴によれば、突出部を挟んで上下に取り付けられる各パネル材の裏面と横連結杆との当接面を確保でき、構造強度を高くできる。
【００１０】
前記突出部は、一部が前記支柱の前方に位置するように左右方向に延出部が形成されていることを特徴としている。
この特徴によれば、突出部により支柱の前方まで連続する横目地を形成することができるため、パネル壁面を左右方向に大きく形成して間仕切パネル装置の美観を向上させることができる。
【００１１】
前記パネル材の前後方向の厚さよりも前記突出部の前後方向の突出量が小さいことを特徴としている。
この特徴によれば、横目地を構成する突出部がパネル材の表面よりも奥側に配置されるため、突出部を目立ち難くすることができる。
【００１２】
前記突出部の突出端面の明度は、前記パネル材の表面の明度よりも低いことを特徴としている。
この特徴によれば、突出部の突出端面の明度を低くすることにより、横目地に形成される影や段差の視認性を下げることができるため、間仕切パネル装置に横方向の連続性を与えて空間的な広がりを演出することができる。
【００１３】
前記パネル材は、透光性パネルであることを特徴としている。
この特徴によれば、荷重の大きい透光性パネルであっても突出部により安定して支持することができる。
【図面の簡単な説明】
【００１４】
【図１】実施例１における間仕切パネル装置を示す正面図と部分拡大図である。
【図２】実施例１における間仕切パネル装置の構造を示す分解斜視図である。
【図３】実施例１における間仕切パネル装置の構造を示す断面図である。
【図４】実施例１における横連結杆の構造を示しており、（ａ）は、横連結杆の構造を示す上面図であり、（ｂ）は、横連結杆の構造を示す正面図である。
【図５】実施例１における横連結杆の構造を示すＡ−Ａ’線断面図である。
【図６】実施例１におけるパネル枠体の構造を示す側面図である。
【図７】実施例１における間仕切パネル装置に対するパネルの取り付け手順を示す断面図である。
【図８】実施例１における間仕切パネル装置に対するパネルの取り付け手順を示す断面図と部分拡大図である。
【図９】実施例１における間仕切パネル装置に対するパネルの取り付け手順を示す断面図と部分拡大図である。
【図１０】実施例１における間仕切パネル装置に対するパネルの取り付け手順を示す断面図と部分拡大図である。
【図１１】実施例１における間仕切パネル装置に対するパネルの取り付け手順を示す断面図と部分拡大図である。
【図１２】実施例２における間仕切パネル装置の構造を示す断面図と部分拡大図である。
【発明を実施するための形態】
【００１５】
本発明に係る間仕切パネル装置を実施するための形態を実施例に基づいて以下に説明する。
【実施例１】
【００１６】
実施例１に係る間仕切パネル装置につき、図１から図１１を参照して説明する。以下、図１の手前側及び図３の画面左側を間仕切パネル装置の前方側（正面側）とし、その前方側から見たときの上下左右を基準として説明する。
【００１７】
本発明の間仕切パネル装置１は、オフィスやショールーム等の室内空間を、その空間の利用目的に合わせて所望の広さに区分けするために設置され、図１及び図２に示されるように、間仕切パネル装置１は、左右方向に複数立設される支柱２，２，…と、これら支柱２，２，…の間に上下に離間させて複数架設される横連結杆３，３，…と、複数のパネル４，４’，…（パネル材）と、から主に構成されている。
【００１８】
パネル４，４’，…には、鋼板からなる表面材４０の裏側に石膏ボード４１が接着剤等により固着された不透光パネル４と、ガラス板４２（透光性パネル）の上下端縁にパネル枠体４３，４３が接着剤等によりそれぞれ固着された透光パネル４’とがある。
【００１９】
間仕切パネル装置１は、支柱２，２，…と横連結杆３，３，…と笠木３０及び巾木３１とにより複数の矩形枠が形成されており、これら矩形枠にそれぞれパネル４，４’，…が取り付けられて間仕切パネル装置１の壁面が、構成されている。尚、実施例１において間仕切パネル装置１は、透光パネル４’が不透光パネル４，４により上下から挟まれた上下三段に構成されている。
【００２０】
また、間仕切パネル装置１の壁面において、左右に隣接するパネル４，４及びパネル４’，４’の側面部同士は当接した状態で取り付けられ、左右に隣接するパネル４，４及びパネル４’，４’間の縦目地を極力小さく形成することにより、上下に隣接するパネル４，４’，…の横目地を際立たせて縦目地を目立ち難くしている（図１参照）。これによれば、左右方向の連続性を壁面に与えて広がりのある空間を演出し、壁面に高級感を出すことができる。
【００２１】
図２に示されるように、不透光パネル４において、表面材４０の裏側に固定される石膏ボード４１の寸法は、不透光パネル４全体の寸法よりも小さくなっており、不透光パネル４の周縁部分は、石膏ボード４１の厚みに合わせて表面材４０の各端部を折り曲げることにより中空に形成されている（図３参照）。
【００２２】
また、上段の不透光パネル４の裏面の左右端部４ｃ，４ｄには、所定の位置にそれぞれ上下方向に延びるスリット４０ａ，４０ａが設けられており、不透光パネル４の裏面の下端部４ｂには、板バネ状の係止部材４４，４４が左右方向に所定間隔離間させて取り付けられている。
【００２３】
図２及び図３に示されるように、係止部材４４，４４は、壁面の上段を構成する不透光パネル４には下端部４ｂ、壁面の下段を構成する不透光パネル４には上端部４ａにそれぞれ取り付けられる態様となっている。尚、不透光パネル４の裏面の上下端部４ａ，４ｂに取り付けられる係止部材４４の数や配置等は、間仕切パネル装置１の壁面の構成に応じて自由に構成されてよい。
【００２４】
図２及び図３に示されるように、支柱２，２は、天井面Ｃに設置される断面視四角形状の笠木３０と、床面Ｆに設置される断面視上向きコ字状の巾木３１との間に立設され、笠木３０と巾木３１を上下に連結している。尚、支柱２は、アルミ合金等の金属の押出成形品であり、巾木３１に設けられる図示しないアジャスタ等により、上端側の高さ位置を調整可能になっている。
【００２５】
また、巾木３１には、上方から側面視略ハット形状の保持部材３２が跨設されており、該保持部材３２の左右方向に亘って前後に屈曲させて形成された屈曲部３２ａ，３２ａに間仕切パネル装置１の壁面の下段を構成する不透光パネル４の下端面４ｆを当接させて載置することができる。
【００２６】
図２及び図３に示されるように、左右に立設される支柱２，２同士の対向する側面部２ａと側面部２ａとには、懸架部材２１，２１と、支持部材２２，２２とがそれぞれ左右で同じ高さ位置で対向するようにネジ等により固定されている。また、左右の支柱２，２間には、懸架部材２１，２１を介して後述する補強部材６が略水平に架設され、支持部材２２，２２を介して横連結杆３が略水平に架設されている。
【００２７】
懸架部材２１は、鋼板を曲げ加工することにより略Ｌ字状を成し、補強部材６を下方から支持する支持部２１ａと、該支持部２１ａの一方の端部から上方に延び支柱２の側面部２ａに対してネジ等で固定される固定部２１ｂと、から主に構成されている。
【００２８】
固定部２１ｂの両側端からは、延出部２１ｃ，２１ｃが前後対称に延出しており、延出部２１ｃ，２１ｃに前述した不透光パネル４，４の裏面の左右端部４ｃ，４ｄに設けられるスリット４０ａ，４０ａが係止されることで、各矩形枠に不透光パネル４，４を懸架できるようになっている。
【００２９】
尚、懸架部材２１，２１に架設される補強部材６は、不透光パネル４または透光パネル４’が取り付けられる矩形枠を構成するものではなく、間仕切パネル装置１の構造強度を補強するためのものであるため、横連結杆３により間仕切パネル装置１の構造強度が確保できれば、補強部材６を設けなくてもよい。
【００３０】
図２に示されるように、支持部材２２は、鋼板を曲げ加工することにより側面視略倒立Ｌ字状を成し、横連結杆３を下方から支持する支持部２２ａと、支持部２２ａの一方の端部から下方に延び支柱２の側面部２ａに対してネジ等で固定される固定部２２ｂと、から主に構成されており、支持部２２ａの先端側には、前後方向に略平行に切欠き部２２ｃ，２２ｃが形成され、該切欠き部２２ｃ，２２ｃの間には、左右方向に所定間隔置いて上下方向に貫通する貫通孔２２ｄ，２２ｄが穿設されている。
【００３１】
支柱２，２の対向する側面部２ａ，２ａに支持部材２２，２２が固定部２２ｂ，２２ｂを介して固定された状態おいては、支持部２２ａ，２２ａの切欠き部２２ｃ，２２ｃに後述する横連結杆３の下方側に突出する第２板部３ｄ’，３ｄ’を挿入するように架設することにより、横連結杆３を支柱２，２に対して位置合わせした状態で取り付けることができる。
【００３２】
また、支持部２２ａ，２２ａの切欠き部２２ｃ，２２ｃに横連結杆３の第２板部３ｄ’，３ｄ’が挿入されることにより、横連結杆３の前後方向への移動が規制され、後述する横連結杆３の突出部３ｃの（長手方向に延びる）端部３ｇ，３ｇに対して前後方向への応力が作用し難くなり、端部３ｇ，３ｇの変形を防ぐことができる。
【００３３】
また、支持部２２ａ，２２ａに架設された横連結杆３の左右両端を支柱２，２間の対向する側面部２ａ，２ａに対してそれぞれ当接させることにより、支持部２２ａ，２２ａの貫通孔２２ｄ，２２ｄと後述する横連結杆３に穿設された貫通孔３ｆ，３ｆとが上下方向に連通し、図示しないボルトとナット等により支持部材２２，２２と横連結杆３とを締結できるようになっている。
【００３４】
図４及び図５に示されるように、横連結杆３は、アルミ合金等の金属の押出成形品であり、断面が前後対称であるため前方側の構造について説明し、後方側の構造の説明を省略する。尚、図５は、Ａ−Ａ’断面における横連結杆３の断面図を示している。
【００３５】
横連結杆３は、左右方向に延びる平板状の基板部３ａと、該基板部３ａの前方側で左右方向に亘って上下に延びる一対の第１板部３ｂ，３ｂ’と、該第１板部３ｂ，３ｂ’の上下方向の略中央の位置から左右方向に亘って前方側に突出する突出部３ｃと、第１板部３ｂ，３ｂ’よりも後方側で左右方向に亘って上下に延びる一対の第２板部３ｄ，３ｄ’（保持部）と、から主に構成されている。尚、第２板部３ｄ，３ｄ’は、左右端部と左右方向の中央部との形状が異なり、左右端部は平板状を成し、中央部は後述する屈曲部３ｅ，３ｅ’を有するＬ字状を成している。
【００３６】
基板部３ａは、左右両端が支柱２，２に当接するように架設され、基板部３ａの左右両端近傍には、それぞれ前後中央に一直線上に左右方向に離間して上下方向に貫通する貫通孔３ｆ，３ｆが穿設されている。
【００３７】
突出部３ｃの左右両端には、基板部３ａの左右両端から左右方向にさらに延出して端部３ｇ，３ｇ（延出部）が形成されており、支柱２，２間に横連結杆３が架設された状態で端部３ｇ，３ｇが支柱２，２の前面略中央までそれぞれ延出し、支柱２，２を前後から挟み込むように配置されるようになっている。また、突出部３ｃ及び端部３ｇ，３ｇは、左右方向に亘って上下寸法が略均一となるように形成されている。
【００３８】
また、突出部３ｃの左右両端に端部３ｇ，３ｇを設けることにより、横連結杆３の左右端部において、基板部３ａの左右端部と前後の突出部３ｃ，３ｃの各端部３ｇ，３ｇとによりそれぞれコ字状の段部が形成されるため、当該段部により横連結杆３を支柱２にガイドしながら架設できるようになっている。
【００３９】
また、突出部３ｃの突出端面３ｋは、不透光パネル４の表面材４０の明度よりも低い明度となるように塗装されているとともに、突出部３ｃ（端部３ｇ，３ｇを含む）の左右方向に亘って平坦面となっている。
【００４０】
第１板部３ｂ，３ｂ’は、不透光パネル４の裏面の上下端部４ａ，４ｂに取り付けられる係止部材４４，４４を係止可能になっており、横連結杆３に対して上下から取り付けられる不透光パネル４，４（上段と下段の不透光パネル４，４）は、係止部材４４，４４により第１板部３ｂ，３ｂ’の前面側と不透光パネル４，４の裏面の上端部４ａ及び下端部４ｂとがそれぞれ当接するように挟持される（図３参照）。これにより、前述した懸架部材２１，２１により懸架された不透光パネル４を支柱２や横連結杆３等から形成される矩形枠に圧着させた状態で取り付けることができる。
【００４１】
また、突出部３ｃの上面部３ｈと下面部３ｈ’と、第１板部３ｂ，３ｂ’の前面部３ｉ，３ｉ’とはそれぞれ直角になっている。
【００４２】
横連結杆３の上方側及び下方側の中央部において前後に対向する第２板部３ｄ，３ｄ及び第２板部３ｄ’，３ｄ’の先端同士が近接するように屈曲されて屈曲部３ｅ，３ｅ及び屈曲部３ｅ’，３ｅ’が形成されており、屈曲部３ｅ，３ｅ’の先端側の屈曲端面３ｌ，３ｌ’には、後述するパネル枠体４３，４３の第２板部４３ｅ，４３ｅの先端に形成される係止部４３ｆ，４３ｆが係止可能となっている（図３参照）。
【００４３】
次いで、横連結杆３の第２板部３ｄ，３ｄ’に係止される透光パネル４’のパネル枠体４３，４３について図６を用いて説明する。尚、透光パネル４’の上下端縁に設けられるパネル枠体４３，４３は、同一構成であるため、前方側に取り付けられる透光パネル４’の下端縁側に固着されるパネル枠体４３について説明し、上端縁側に固着されるパネル枠体４３の説明を省略する。
【００４４】
図６に示されるように、パネル枠体４３は、アルミ合金等の金属の押出成形品であり、ガラス板４２の下端が載置される平板状の基板部４３ａと、該基板部４３ａの前端から左右方向に亘ってガラス板４２の前面に沿って上方に延びる規制板部４３ｂと、基板部４３ａの後端から左右方向に亘って横連結杆３の第１板部３ｂの前面に沿って上方に延びる第１板部４３ｃと、基板部４３ａの前後略中央から左右方向に亘ってガラス板４２の後面に沿って上方に延びる当接板部４３ｄと、該当接板部４３ｄの上端から左右方向に亘って後方に延出する第２板部４３ｅと、から主に構成されている。
【００４５】
第２板部４３ｅの後方側の先端には、下向き鉤状の係止部４３ｆが形成されており、係止部４３ｆは、前述した横連結杆３の第２板部３ｄの屈曲部３ｅの端縁に係止可能となっている。また、第２板部４３ｅの前後略中央からは、左右方向に亘って横連結杆３の第２板部３ｄの前面に沿って垂下する垂下板部４３ｇが形成されており、垂下板部４３ｇは、横連結杆３の第２板部３ｄの前面に当接することにより、横連結杆３に対するパネル枠体４３の取り付け強度を高めるとともに、パネル枠体４３の係止部４３ｆが横連結杆３の第２板部３ｄの屈曲部３ｅの端縁から容易に外れないように透光パネル４’（パネル枠体４３）の後方側への移動を規制している。
【００４６】
次いで、間仕切パネル装置１に対する不透光パネル４及び透光パネル４’の取り付け手順について図２と図７〜図１１を用いて説明する。尚、間仕切パネル装置１の壁面を構成する上下三段のパネルは下方から順に取り付けられるものとして説明する。また、間仕切パネル装置１における前後のパネルの取り付け手順は同一構成であるため、前方側のパネルの取り付け手順について説明し、後方側の説明は省略する。
【００４７】
図７に示されるように、先ず、下段の不透光パネル４の取り付けを行うため、左右の支柱２，２の対向する側面部２ａ，２ａにそれぞれ設けられる下方側の懸架部材２１，２１の延出部２１ｃ，２１ｃに下段の不透光パネル４の裏面に形成されるスリット４０ａ，４０ａを挿嵌する（図２参照）。このとき、不透光パネル４の下端面４ｆは、巾木３１の上方に設けられた保持部材３２の屈曲部３２ａに載置され、不透光パネル４の下端部４ｂを、保持部材３２に前方側から当接させた状態で仮固定される。
【００４８】
次に、図８に示されるように、左右の支柱２，２の対向する側面部２ａ，２ａにそれぞれ設けられる下方側の支持部材２２，２２に対して横連結杆３を架設して、下段の不透光パネル４に対応する矩形枠を形成する。このとき、支持部材２２の支持部２２ａに形成された切欠き部２２ｃ，２２ｃに横連結杆３の第２板部３ｄ’，３ｄ’を挿入するように架設する（図２参照）。
【００４９】
また、下段の不透光パネル４の上端部４ａに取り付けられた係止部材４４，４４に上方から横連結杆３の第１板部３ｂ’を係止させるとともに、下段の不透光パネル４の上端面４ｅに横連結杆３の突出部３ｃの下面部３ｈ’を上方から当接させることにより、下段の不透光パネル４の上端部４ａが横連結杆３の第１板部３ｂ’の前面部３ｉ’に当接し、下段の不透光パネル４を下段の矩形枠に圧着させた状態で安定して固定できる。
【００５０】
次に、図９に示されるように、中段の透光パネル４’の取り付けを行うため、透光パネル４’の下端側のパネル枠体４３の係止部４３ｆを横連結杆３の屈曲部３ｅの屈曲端面３ｌに上方から係止させるとともに、横連結杆３の第２板部３ｄの前面部３ｊにパネル枠体４３の第２板部４３ｅの垂下板部４３ｇを当接させる。
【００５１】
さらに、横連結杆３の突出部３ｃの上面部３ｈにパネル枠体４３の基板部４３ａを上方から当接させるとともに、横連結杆３の第１板部３ｂの前面部３ｉにパネル枠体４３の第１板部４３ｃを当接させることにより、透光パネル４’の荷重を横連結杆３の突出部３ｃで支持しながら、透光パネル４’が前方側に倒れないようにパネル枠体４３の係止部４３ｆを横連結杆３の屈曲端面３ｌに係止させて仮固定することができる。
【００５２】
次に、図１０に示されるように、支柱２，２の対向する側面部２ａ，２ａにそれぞれ設けられる上方側の支持部材２２，２２に対して横連結杆３を架設して、中段の透光パネル４’に対応する矩形枠を形成する（同時に上段の不透光パネル４に対応する矩形枠も形成される）。このとき、前述した下方の横連結杆３の架設と同様に、支持部材２２の切欠き部２２ｃ，２２ｃに横連結杆３の第２板部３ｄ’，３ｄ’を挿入するように架設する。
【００５３】
また、透光パネル４’の上端側のパネル枠体４３の係止部４３ｆを横連結杆３の屈曲部３ｅ’の屈曲端面３ｌ’に係止させるとともに、横連結杆３の第２板部３ｄ’の前面部３ｊ’にパネル枠体４３の第２板部４３ｅの垂下板部４３ｇを当接させる。
【００５４】
さらに、パネル枠体４３の基板部４３ａに横連結杆３の突出部３ｃの下面部３ｈ’を上方から当接させるとともに、横連結杆３の第１板部３ｂ’の前面部３ｉ’にパネル枠体４３の第１板部４３ｃを当接させることにより、透光パネル４’を中段の矩形枠に安定して固定できる。
【００５５】
最後に、図１１に示されるように、上段の不透光パネル４の取り付けを行うため、支柱２，２の対向する側面部２ａ，２ａにそれぞれ設けられる上方側の懸架部材２１，２１の延出部２１ｃ，２１ｃに上段の不透光パネル４の裏面に形成されるスリット４０ａ，４０ａを挿嵌する。
【００５６】
また、上段の不透光パネル４の下端部４ｂに取り付けられた係止部材４４，４４を横連結杆３の第１板部３ｂに上方から係止させるとともに、横連結杆３の突出部３ｃの上面部３ｈに上段の不透光パネル４の下端面４ｆを上方から当接させる。
【００５７】
これにより、不透光パネル４の下端部４ｂは、横連結杆３の第１板部３ｂの前面部３ｉに当接し、不透光パネル４の上端部４ａは、笠木３０に前方側から当接した状態となり、上段の不透光パネル４を上段の矩形枠に圧着させた状態で安定して固定できる。
【００５８】
以上説明したように、間仕切パネル装置１において、横連結杆３の突出部３ｃの上面部３ｈ及び下面部３ｈ’は、上下に隣接する不透光パネル４及び透光パネル４’の対向する上下端部同士にそれぞれ当接しており、上下に隣接する不透光パネル４及び透光パネル４’の対向する上下端部同士が略平行となるように横目地が形成されるため、横目地の上下間隔を左右方向に亘って略均一に揃えることができ、美観に優れる（図１参照）。
【００５９】
また、横連結杆３の突出部３ｃの上下寸法が上下に隣接する不透光パネル４及び透光パネル４’により形成される横目地の上下間隔を規定するため、上下間隔の狭い横目地であっても上下間隔を左右方向に亘って略均一に揃えることができる。
【００６０】
また、横連結杆３の基板部３ａよりも左右に延出する突出部３ｃの端部３ｇ，３ｇが支柱２，２の前面略中央までそれぞれ延出しているため、支柱２，２の前方まで連続する横目地を形成することができ、壁面を左右方向に大きく形成して間仕切パネル装置１の美観を向上させることができる。
【００６１】
また、横連結杆３において、突出部３ｃは、上下に延びる第１板部３ｂ，３ｂ’に対して上下方向の中央の位置に形成されるため、突出部３ｃを挟んで上下に取り付けられる不透光パネル４の裏面の上下端部４ａ，４ｂ及び透光パネル４’のパネル枠体４３の第１板部４３ｃと、横連結杆３の前面部３ｉ，３ｉ’との当接面を確保でき、間仕切パネル装置１の構造強度を高めることができる。
【００６２】
また、不透光パネル４及び透光パネル４’の厚み寸法よりも突出部３ｃの突出量が低くなっているため、横目地を構成する突出部３ｃが不透光パネル４及び透光パネル４’の表面よりも奥側に配置されるため、突出部３ｃを目立ち難くすることができる（図３参照）。
【００６３】
また、不透光パネル４及び透光パネル４’の厚み寸法は、突出部３ｃの上下寸法の二倍以上となっているため、横目地に入射した光が横目地の奥側で上下の不透光パネル４及び透光パネル４’により挟まれる突出部３ｃにまで届き難く、横目地の奥行きを演出することができる（図３参照）。
【００６４】
また、横目地の奥側で視認可能な突出部３ｃの突出端面３ｋは、不透光パネル４の表面材４０の明度よりも低い明度となるように塗装されており、横目地に形成される影や段差の視認性を下げることができるため、間仕切パネル装置１に横方向の連続性を与えて空間的な広がりを演出することができる。
【００６５】
尚、実施例１において、突出部３ｃの突出端面３ｋが不透光パネル４の表面材４０の明度よりも低い明度に塗装される態様として説明したが、これに限らず、例えば、突出部３ｃ全体（突出端面３ｋ、上面部３ｈ、下面部３ｈ’）や屈曲部３ｅ，３ｅ’の上面等の明度を不透光パネル４の表面材４０の明度よりも低い明度にしてもよい。また、明度の調整については、塗装に限らず、例えば、明度の低いシールを貼付する等、自由に構成されてよい。
【００６６】
また、突出部３ｃは、横連結杆３の左右方向に亘って連続して突出するように形成される態様として説明したが、これに限らず、突出部は、横連結杆３の左右方向に亘って少なくとも２箇所以上が突出するものであればよい。また、突出部を複数箇所に形成する場合、各突出部の上下端により規定される上下寸法が均一に揃っていれば、形状は円筒形や台形等、自由に構成されてよい。
【００６７】
また、間仕切パネル装置１は、天井面Ｃに笠木３０を設置することにより床から天井まで室内空間を仕切るように形成される態様として説明したが、これに限らず、間仕切パネル装置は、例えば、視線を遮る程度の高さのものであってもよく、この場合には、間仕切パネル装置の上端に露出する笠木３０を覆うカバー部材等を設けてもよい。
【００６８】
また、間仕切パネル装置１は、前後にパネルが取り付けられる態様として説明したが、これに限らず、前方側にのみパネルが取り付けられるものであってもよく、この場合には、後方側のパネルの取り付け位置（巾木、笠木、横連結杆等）を覆うカバー部材等を設けてもよい。
【００６９】
また、間仕切パネル装置１の壁面において、左右に隣接する不透光パネル４，４及び透光パネル４’，４’の側面部同士は当接した状態で取り付けられる態様として説明したが、これに限られず、左右に隣接するパネル４，４及びパネル４’，４’間に形成される縦目地を目立ち難くできれば、不透光パネル４，４及び透光パネル４’，４’の側面部同士は、極近接した状態であってもよい。
【実施例２】
【００７０】
次に、実施例２に係る間仕切りパネル装置につき、図１２を参照して説明する。尚、前記実施例に示される構成部分と同一構成部分については同一符号を付して重複する説明を省略する。
【００７１】
図１２に示されるように、間仕切パネル装置１００は、左右に立設された支柱２，２と、該支柱２，２の間に上下に離間させて複数架設される横連結杆１０３，１０３，…と、支柱２，２と横連結杆１０３，１０３，…と笠木３０及び巾木３１とにより形成される複数の矩形枠に取り付けられる複数のパネル１０４，１０４’，…と、複数のパネル１０４，１０４’，…間から延出するように取り付けられる載置板１０５，１０５，…と、から主に構成されている。
【００７２】
横連結杆１０３は、アルミ合金等の金属の押出成形品であり、後方側で上下方向に延び支柱２の側面部２ａにネジ等で固定される支持部材１２２に固定される基板部１０３ａと、該基板部１０３ａの上下略中央から上下に所定間隔離間して左右方向に亘って前方に延びる突出部１０３ｂ，１０３ｂ’と、該突出部１０３ｂ，１０３ｂ’の前後略中央から後方側にそれぞれ上下に傾斜しながら延出して基板部１０３ａと連結する補強板部１０３ｆ，１０３ｆ’と、から主に構成され、突出部１０３ｂ，１０３ｂ’の間に形成される隙間に載置板１０５を挿嵌可能になっている。
【００７３】
突出部１０３ｂの前端部には、上面部１０３ｇから上方に突出する係止部１０３ｃが形成され、後述するパネル１０４，１０４’に取り付けられる係止部材１４４が上方から係止可能になっている。また、突出部１０３ｂの後端部の下面には、下方に突出する規制板部１０３ｄが形成され、載置板１０５の後端が当接することにより後方側への移動を規制するようになっている。
【００７４】
また、突出部１０３ｂ’の前端部には、下面部１０３ｇ’から下方に突出する係止部１０３ｃ’が形成され、パネル１０４，１０４’に取り付けられる係止部材１４４が下方から係止可能になっている。また、突出部１０３ｂ’の後端部の上面には、後方側に向けて下方に傾斜する傾斜部１０３ｅが形成され、載置板１０５の後端側の下面が突出部１０３ｂ’の上面に当接しないため、載置板１０５の後端側が突出部１０３ｂ，１０３ｂ’の間に密着することがなくなり、載置板１０５の着脱を行いやすくなっている。
【００７５】
載置板１０５は、合わせガラスで強度が高められており、上下の厚み寸法が突出部１０３ｂ，１０３ｂ’の上下間隔と略同一となるように形成されている。尚、載置板１０５の素材は、アクリル板等の樹脂製や金属製、木製等、自由に構成されてよい。
【００７６】
パネル１０４は、表面材４０の上下端の一方が折り曲げられて中空に形成されており、他方は折り曲げられず上下端部１０４ａ，１０４ｂが形成され、裏面に側面視略クランク形状の係止部材１４４が接着剤等で固着されている。また、パネル１０４は、間仕切パネル装置１００の壁面の最上段及び最下段に取り付けられ、笠木３０及び巾木３１の上方に跨設される保持部材３２に対して表面材４０が折り曲げられて形成される端部側を当接させ、横連結杆１０３の係止部１０３ｃ，１０３ｃ’に対して係止部材１４４が設けられた端部（上端部１０４ａ）側を係止させることにより、取り付け可能となっている。
【００７７】
また、パネル１０４’は、上下端の両方が折り曲げられず上下端部１０４ａ，１０４ｂが形成され、裏面に係止部材１４４，１４４がそれぞれ固着されている。パネル１０４’は、間仕切パネル装置１００の壁面の中段に取り付けられ、横連結杆１０３の係止部１０３ｃ，１０３ｃ’に対して上下の係止部材１４４，１４４をそれぞれ係止させることにより、取り付け可能となっている。
【００７８】
また、パネル１０４，１０４’が係止部材１４４を介して横連結杆１０３に取り付けられた状態において、パネル１０４，１０４’の上下端部１０４ａ，１０４ｂは、横連結杆１０３の突出部１０３ｂの上面部１０３ｇ及び１０３ｂ’の下面部１０３ｇ’にそれぞれ上下から当接するようになっている。
【００７９】
これによれば、間仕切パネル装置１００において、横連結杆１０３の突出部１０３ｂの上面部１０３ｇ及び突出部１０３ｂ’の下面部１０３ｇ’は、上下に隣接するパネル１０４，１０４’の対向する上下端部同士にそれぞれ当接しており、上下に隣接するパネル１０４，１０４’の対向する上下端部同士が略平行となるように横目地が形成されるため、横目地の上下間隔を左右方向に亘って略均一に揃えることができ、美観に優れる。尚、実施例２における横目地は、上下に取り付けられるパネル１０４，１０４’と載置板１０５（載置板１０５が設置されない場合は、横連結杆１０３の突出部１０３ｂ，１０３ｂ’の上下の隙間）との間に形成されるものである。
【００８０】
以上、本発明の実施例を図面により説明してきたが、具体的な構成はこれら実施例に限られるものではなく、本発明の要旨を逸脱しない範囲における変更や追加があっても本発明に含まれる。
【００８１】
例えば、前記実施例では、間仕切パネル装置１の壁面は、透光パネル４’が不透光パネル４，４により上下から挟まれて上下三段に構成される態様として説明したが、これに限らず、間仕切パネル装置１の壁面は、不透光パネル４，４，…のみで構成されてもよい。
【符号の説明】
【００８２】
１，１００            間仕切パネル装置
２                    支柱
３                    横連結杆
３ａ                  基板部
３ｂ，３ｂ’          第１板部
３ｃ                  突出部
３ｄ，３ｄ’          第２板部（保持部）
３ｅ，３ｅ’          屈曲部
３ｇ                  端部（延出部）
４                    不透光パネル（パネル材）
４’                  透光パネル（パネル材）
６                    補強部材
２１                  懸架部材
２２                  支持部材
３０                  笠木
３１                  巾木
３２                  保持部材
４０                  表面材
４２                  ガラス板（透光性パネル）
４３                  パネル枠体
４３ａ                基板部
４３ｂ                規制板部
４３ｃ                第１板部
４３ｄ                当接板部
４３ｅ                第２板部
４３ｆ                係止部
４３ｇ                垂下板部
４４                  係止部材
１０３                横連結杆
１０３ａ              基板部
１０３ｂ，１０３ｂ’  突出部
１０３ｃ，１０３ｃ’  係止部
１０３ｄ              規制板部
１０３ｅ              傾斜部
１０３ｆ，１０３ｆ’  補強板部
１０４，１０４’      パネル（パネル材）
１０５                載置板
【図１】
0006719968.tif 000002
【図２】
0006719968.tif 000003
【図３】
0006719968.tif 000004
【図４】
0006719968.tif 000005
【図５】
0006719968.tif 000006
【図６】
0006719968.tif 000007
【図７】
0006719968.tif 000008
【図８】
0006719968.tif 000009
【図９】
0006719968.tif 000010
【図１０】
0006719968.tif 000011
【図１１】
0006719968.tif 000012
【図１２】
0006719968.tif 000013